(57)【要約】【課題】２次元コードを表示している際における省電力化を達成できる電子機器を提供する。【解決手段】撮像信号を生成する撮像手段と、２次元コードを表示する表示手段と、電源供給を制御する電源制御手段とを有し、電源制御手段は、表示手段に２次元コードが表示されている際に（＃１０８）、電源供給が不要となる撮像手段への電源供給を停止する（＃１０５）電子機器とする。【選択図】図５
2011160305.tif 000002
【特許請求の範囲】
【請求項１】
撮像信号を生成する撮像手段と、
２次元コードを表示する表示手段と、
電源供給を制御する電源制御手段とを有し、
前記電源制御手段は、前記表示手段に前記２次元コードが表示されている際に、電源供給が不要となる前記撮像手段への電源供給を停止することを特徴とする電子機器。
【請求項２】
前記表示手段は、バックライトへの電流の大きさに応じて表示画面の明るさを変更可能な液晶表示手段であり、
前記電源制御手段は、前記液晶表示手段に前記２次元コードが表示されている間、前記バックライトへの供給電流を、撮像情報の表示時よりも小さくすることを特徴とする請求項１に記載の電子機器。
【請求項３】
機器に収納された収納位置と撮影可能な繰出し位置との間で移動させられる鏡筒と、
前記鏡筒を前記収納位置と前記繰出し位置の間で移動させる駆動手段とを有し、
前記電源制御手段は、前記表示手段に前記２次元コードが表示されている際には、前記鏡筒を前記収納位置に移動させた後に、前記駆動手段への電源供給を停止することを特徴とする請求項１または２に記載の電子機器。
【発明の詳細な説明】
【技術分野】
【０００１】
本発明は、デジタルカメラなどの撮像装置を含む電子機器に関するものである。
【背景技術】
【０００２】
近年、インターネット接続機能や撮像機能を具備した携帯電話が普及している。これに伴い、印刷物に表示されたＵＲＬをコード化した２次元コード（以下、ＱＲコードとも記す）を携帯電話で撮影し、このＱＲコードをＵＲＬに変換してインターネットに接続して所望のホームページを参照するということが行われている。さらに、ＱＲコードの表示媒体は印刷物のみではなく、コンピュータの周辺機器（プリンタ、コピー機、スキャナ、デジタルカメラなど）に広がっている。例えば、周辺機器のエラー発生時に機器固有サイトのＱＲコードが表示されると、そのＱＲコードを携帯電話により撮影してサイトに接続し、そのサイト上でエラー情報を入力してエラー解決に必要な情報を得るシステムが提案（特許文献１）されている。
【先行技術文献】
【特許文献】
【０００３】
【特許文献１】特開２００７−１１０５２４号公報
【発明の概要】
【発明が解決しようとする課題】
【０００４】
デジタルカメラや携帯電話、ＰＤＡ等の電子機器においては、多機能化に伴い、処理速度の速いＣＰＵを搭載し、消費電力が多くなっており、液晶ディスプレイなどの表示装置も大型化し、バックライトの消費電力も増えている。一方、電子機器自体は小型化が進み、電池を大きくすることができず、むしろ小型化されていく傾向にあり、電池の容量も小さいものとなり、電子機器の使用時間が短くなっている。したがって、電子機器に表示されたＱＲコードを携帯電話で撮影してインターネット上でそのＱＲコードに関する情報を取得する際には電子機器に電源が入った状態のままである。そして、電子機器側では電力を消費し続け、電子機器の使用可能時間が短くなっていた。
【０００５】
上記点に鑑み、一定時間、電子機器側での操作がない場合には電源を落として電力の消費を無くすようにすることが考えられる。しかし、ＱＲコード表示中に一定時間が経て電源が完全に断たれると、それまでの操作がリセットされたり、携帯電話に表示させたマニュアルを見ながらの操作等をゆっくり行うことができなかったりするという問題があった。
【０００６】
（発明の目的）
本発明の目的は、操作性を悪化させること無く、２次元コードを表示している際における省電力化を達成することのできる電子機器を提供しようとするものである。
【課題を解決するための手段】
【０００７】
上記目的を達成するために、本発明の電子機器は、撮像信号を生成する撮像手段と、２次元コードを表示する表示手段と、電源供給を制御する電源制御手段とを有し、電源制御手段が、表示手段に前記２次元コードが表示されている際に、電源供給が不要となる撮像手段への電源供給を停止することを特徴とするものである。
【発明の効果】
【０００８】
本発明によれば、操作性を悪化させること無く、２次元コードを表示している際における省電力化を達成することができる。
【図面の簡単な説明】
【０００９】
【図１】本発明の実施例に係るデジタルカメラの概観を示す斜視図である。
【図２】図１のデジタルカメラの構成を示すブロック図である。
【図３】図２の電源制御部及びその周辺の構成を示すブロック図である。
【図４】ＱＲコードの読み取り等について説明するための図である。
【図５】図１のデジタルカメラの電源制御動作を示すフローチャートである。
【図６】図１の液晶表示部の拡大図である。
【図７】本発明の実施例２に係る電源制御動作を示すフローチャートである。
【発明を実施するための形態】
【００１０】
本発明を実施するための形態は、以下の実施例１および２に示す通りである。
【実施例１】
【００１１】
図１は本発明の実施例１に係る電子機器の一例であるデジタルカメラ（撮像装置）を示す斜視図であり、図１（ａ）はデジタルカメラの正面側を、図１（ｂ）はデジタルカメラの背面側を、それぞれ示す。
【００１２】
図１において、１０１はデジタルカメラである。１０２はデジタルカメラ１０１に対して収納された収納位置（沈胴位置）と突出した撮影位置（撮影可能な繰出し位置）との間で移動させられる鏡筒である。１０３はレリーズボタン、１０４は電源スイッチ、１０５にＡＦ（オートフォーカス）補助光部、１０６はズームレバー、１０７はストロボ発光部である。１０８は外部接続コネクタであり、プリンタやパーソナルコンピュータとケーブルを通して接続することができる。１０９はファインダ、１１０は撮影モードと再生モードの切り替えを行うモードスイッチ、１１１は操作ボタン、１１２は液晶表示部、１１３はメモリカード蓋である。カメラ本体１０１の底部には電池の出し入れを行う不図示の電池蓋が配置されている。
【００１３】
電源スイッチ１０４が押されると、後述の光学系駆動部を介して鏡筒１０２が図１（ａ）の収納位置から撮影を行える不図示の撮影位置まで繰り出される。液晶表示部１１２には、フラッシュのモード表示や通常撮影、マクロなど撮影モードの表示がなされ、現在の撮影設定がわかるようになっている。さらに、液晶表示部１１２には、例えばカメラにエラーが発生した際に、そのエラーに対応したＱＲコードを表示させることができる。液晶表示部１１２に表示されたＱＲコードは、撮像機能付き携帯電話等によって読み取られ、当該携帯電話によりデジタルカメラ１０１専用のＷｅｂサイトに接続され、上記エラーに対処するためのヘルプ情報を得ることができる。この液晶表示部１１２は、バックライトへの供給電流の大きさに応じて表示画面の明るさを変更可能になっている。
【００１４】
図２は、上記デジタルカメラ１０１の主要部分の構成を示すブロック図である。
【００１５】
図２において、２０１はレンズ、２０２はレンズ２０１を通った光量を制御するための絞りを兼ねた絞り・シャッタである。２０３はレンズ２０１で結像された被写体光を電気信号として取り込むための撮像素子である。２０４は撮像素子２０３より出力される電気信号のクロックの除去やノイズの軽減するための相関二重サンプリング処理や所定の基準電圧にクランプするクランプ処理などの撮像信号の処理を行う撮像信号処理部である。２０５はＡ／Ｄ変換部、２０６はＡ／Ｄ変換部２０５から送られて来るデジタルデータを表示や記録などをするための形式となるように種々の信号処理や変換を行う画像信号処理部である。撮像素子２０３から画像信号処理部２０６までが撮像信号を生成する撮像手段である撮像部２２３を成す。２２４は明るさセンサであり、周辺の明るさを検知するためのものである。明るさセンサ２２４の出力はシステム制御部２０８に伝えられる。
【００１６】
２０７はレンズ２０１や絞り・シャッタ２０２の駆動、さらには鏡筒１０２を収納位置と撮影位置に移動させる光学系駆動部である。２０８はデジタルカメラ１０１全体の制御及び各種演算を行うシステム制御部である。２０９はクロックを発生する発振器、２１０は画像データや音声データの記録又は読み出しを行うための半導体メモリ等の記録媒体、２１１はデジタルカメラ１０１の各部に対して電源供給の制御を行う電源制御部である。２１２はデジタルカメラ１０１の電源をオン、オフするための電源スイッチ１０４やレリーズボタン１０３を含むスイッチ部、２１３はマイク、２１４はマイクアンプ、２１５はＡ／Ｄ変換部である。２１６は音声信号処理部、２１７はＤ／Ａ変換部、２１８は音声出力アンプ、２１９はスピーカである。２２０はシステム制御部２０８から送られてくる表示データをＬＣＤやＴＶに出力できるように加工処理をする画像表示処理部、２２１はＤ／Ａ変換部、２２２は図１の液晶表示部１１２に相当する表示部である。
【００１７】
図３は、上記電源制御部２１１およびその近傍の構成を示すブロック図であり、図２と同じ部分は同一符号を付し、その説明は省略する。
【００１８】
図３において、３０１は電源電池であり、例えばリチウムイオン電池が用いられる。３０２は電源ラインである。３０３は図２の表示部２２２（図１の液晶表示部１１２）を照らすバックライトである。３０４はシステム用電源ラインであり、システム制御部２０８で使用されるほか、撮像部２２３、表示部２２２、鏡筒駆動を含む光学系駆動部２０７の各部への通信のために使用される。３０５は撮像用電源ライン、３０６はバックライト用電源ラインである。それぞれの電源ライン３０４〜３０６を介する電源の供給は、システム制御部２０８から信号ライン３０７を介して電源制御部２１１にコントロール信号が出され、ＯＮとＯＦＦが可能となっている。
【００１９】
図４に、図１の液晶表示部１１２にＱＲコードを表示し、そのＱＲコードを携帯電話にて読み取りしてインターネットに接続した状態の模式図を示す。
【００２０】
図４において、４０１はデジタルカメラ１０１は撮像機能付の携帯電話、４０２は携帯電話４０１に具備された液晶表示部、インターネット５０１である。
【００２１】
デジタルカメラ１０１の液晶表示部１１２には、ＱＲコード１００が表示されている。携帯電話４０１は撮像機能を有しており、携帯電話４０１の液晶表示部４０２を見ながらＱＲコード１００の撮影を行うことができる。また、携帯電話４０１は撮影したＱＲコード１００‘の読み取り機能を持ち、ＱＲコード１００’からＵＲＬを取得してインターネット５０１に接続可能である。
【００２２】
ここで、インターネット５０１上のエラー操作等の対処方法のマニュアルを、携帯電話４０１を通して閲覧する場合のＱＲコード表示手順を説明する。マニュアルを見たい場合には、液晶表示部１１２内のメニュー内のマニュアル一覧ボタンを選択する。その中の一覧から所望の項目を選択する。するとマニュアルの代わりに、マニュアルの掲載されたホームページのＵＲＬを示すＱＲコード１００が図４に示すように液晶表示部１１２に表示される。このＱＲコード１００を携帯電話４０１の液晶表示部４０２で確認（ＱＲコード１００’）しながら読み取り、得られたＵＲＬへ接続すると、デジタルカメラ１０１の所望の情報であるマニュアルが携帯電話４０１の液晶表示部４０２に表示される。したがって、液晶表示部４０２に表示されるマニュアルを見ながら、デジタルカメラ１０１を操作することで、エラー操作に対処する操作等を行うことが可能となる。
【００２３】
次に、図５のフローチャートを用いて、ＱＲコード表示等に関する電源制御動作について説明する。
【００２４】
電源スイッチ１０４が押されると、電源制御部２１１を介してデジタルカメラ１０１に電源が供給される（＃１０１）。その後、ユーザーによって液晶表示部１１２のメニューにしたがってＱＲコード１００の表示の選択がなされると（＃１０２）、システム制御部２０８は内部に具備するコード内容認識部によりそのＱＲコード内容の確認を行う（＃１０３）。そして、次に撮像用電源が必要かどうかの確認を行う（＃１０４）。マニュアルを表示するＵＲＬのＱＲコード１００の表示時には、その表示中にデジタルカメラ１０１側の操作を行う必要がない。そのため、撮像部２２３への電源供給を行わないように、電源制御部２１１へシステム制御部２０８から撮像用電源ライン３０５をＯＦＦするコントロール信号が送られる（＃１０５）。
【００２５】
これにより、ＱＲコード１００の表示中には、使用していない撮像部５２３への電源の供給が無くなり、つまり省電モードとなり、消費電力を少なくすることができる。
【００２６】
次に、画像表示の設定を行う。システム制御部２０８は、明るさセンサ２２４からの出力に基づいて液晶表示部１１２の設定を変えられるか否か、つまり明るさを変えられるか否かを確認する。周辺の明るさが大きい場合には、液晶表示部１１２の明るさを落とすと、視認性が悪くなるので、明るさは変えない（＃１０６）。通常、ＱＲコード１００の表示中には撮影を行わないため、撮像部２２３で得られたスルー画像を液晶表示部１１２に表示しない。そのため、周辺の明るさが所定の明るさより暗い場合には、撮影時と比較して液晶表示部１１２の明るさを落とすことができる。液晶表示部１１２の明るさはシステム制御部２０８により制御されており、バックライト３０３内のＬＥＤ（赤外発光ダイオード）に流す電流値によって変化させることができる。ＱＲコード１００の表示前の明るさを確認した後に液晶表示部１２２の明るさを落とすため、電源制御部２１１を介してバックライト３０３に流す電流を少なくする（＃１０７）。
【００２７】
なお、周辺の明るさは、明るさセンサ２２４を用いずに、撮像部２２３の画像情報から検知しても良い。また、周辺の明るさに関係なしに、ＱＲコード１００の表示中は、液晶表示部１１２の明るさを落とすようにしても良い。
【００２８】
ここで、携帯電話２０１によりＱＲコード１００を読み取らせ、インターネット５０１に接続させるために、ＱＲコード１００を液晶表示部１１２に表示させるが、携帯電話２１０を用いてのインターネットの接続及びマニュアルの閲覧などには時間を要する。そのため、ＱＲコード１００の表示時には、通常撮影時及び撮影画像再生時よりもバックライト３０３に供給する電流を小さくして、消費電力を少なくする。このように撮影時及び撮影画像再生時に対して落とす電力を、周囲の明るさに応じて変化させると、省電力の効果が加わる。
【００２９】
上記液晶表示部１１２の省電力化に関する説明を行う。液晶表示部１１２には、ノーマリホワイト型とノーマリブラック型の２種類がある。ノーマリホワイト型は液晶パネルに電圧をかけない状態で光を透過して白を表示し、十分に電圧をかけた場合に黒を表示するもので、ノーマリブラック型はその逆である。
【００３０】
図６は液晶表示部１１２の拡大図であり、６０１は赤画素、６０２は緑画素、６０３は青画素を示している。液晶表示部１１２上には、Ｒ，Ｇ，Ｂ（赤、緑、青）の３色の繰り返しパターンからなるカラーフィルタがあり、ＲＧＢの３画素すべてに光を透過させると白になる。ノーマリホワイト型の場合には、黒を表示するにはＲＧＢの３画素全てに十分な電圧を印加させる必要がある。ＱＲコード表示の際には最小限の消費電力にするために、液晶パネルのＲＧＢの３色に電圧を印加するのではなく、赤画素６０１、緑画素６０２、青画素６０３のうちの１色のみに電圧を印加し、白地にいずれかのＱＲコード表示を行う。このことで、消費電力の削減が可能となる。ノーマリブラック型の場合には、黒字に赤画素６０１、緑画素６０２、青画素６０３のいずれか１色でＱＲコードを表示し、印加する電圧を下げることで、消費電力を少なくすることができる。
【００３１】
図５に戻り、電源の設定および液晶表示部１１２の設定が完了すると、システム制御部２０８は決定された設定内容にてＱＲコード１００を液晶表部１１２に表示させる（＃１０８）。そして、次に鏡筒１０２が繰出し位置にあるか収納位置にあるかを確認する（＃１０９）。その結果、鏡筒１０２が収納位置にあり、ＱＲコード１００の表示中にレンズ駆動する必要がない場合には（＃１０９のＮＯ）、直ちにステップ＃１１２へ進む。
【００３２】
一方、鏡筒１０２が繰出し位置にある場合（＃１０９のＹＥＳ）には、システム制御部２０８は鏡筒１０２内のレンズ２０１の繰出し位置を把握し、記録媒体２１０に保存する（＃１１０）。鏡筒２０１の内部には不図示の鏡筒フレキシブル配線板上に実装されたフォトインタラプタが配置されており、鏡筒１０２を駆動させるモータの回転数をカウントできるようになっている。そのカウント値によりレンズ２０１の繰出し位置を把握できる。次に、繰出されている鏡筒１０２を収納位置に沈胴させる（＃１１１）。これにより、携帯電話２０１によりＱＲコード１００の撮影をする際に、デジタルカメラ１０１の前面を下にして置くことことができ、撮影が行い易くなる。また、携帯電話２０１の操作中に誤ってデジタルカメラ１００を落下させた場合にも、レンズ２０１が収納されているため、鏡筒１０２を破損しにくくすることができる。さらに、鏡筒２０２を収納位置に移動させてリセット状態にする（電源制御部２１１を介して光学駆動部２０７への電源を停止する）。このことで、省電力状態で鏡筒１０２が繰出して作動している諸々の状態の情報を検知し続ける必要が無く、この点でも省電力の効果がある。
【００３３】
ＱＲコード１００の表示を終了するには、液晶表示部１１２の表示メニューから表示終了を選択するか、あるいは、レリーズボタン１０３の半押をすることになるので、システム制御部２０８はこのいずれが行われたかを検知する（＃１１２）。例えばレリーズボタン１０３が半押しされた場合には、撮像部２２３への撮像用電源を供給し、作動可能にする（＃１１３）。その後は、ＱＲコード１００を表示する前のレンズ位置（上記カウント値に基づいて）まで鏡筒１０２を繰り出し、撮影が可能な状態に復帰させる（＃１１４）。
【００３４】
その後、マニュアルを見ながら撮影を行いたい場合には、レリーズボタン１０３を半押しすることで、直ちに撮影を開始させることができる。
【００３５】
以上の実施例１によれば、ＱＲコード（２次元コード）１００を液晶表示部１１２に表示している際は、電源供給が不要となる撮像部２２３への電源供給を停止するようにしている。よって、デジタルカメラ１０１の消費電力を少なくすることができる。また、完全に電源が断たれるわけではなく、必要な情報等の保持は可能であるので、操作性を悪化させることも無ない。
【００３６】
また、ＱＲコード１００の表示時に、デジタルカメラ１０１の撮像機能使用時（通常撮影時及び撮影画像再生時）よりもバックライト３０３に供給する電流を小さく（電源供給量を小さく）できるか否かを判定する。その結果、バックライト３０３に供給する電流を小さくできる場合には、そのようにして液晶表示部１１２での消費電力を少なくするようにしている。よって、さらなる省電力効果を達成することができる。具体例としては、ＱＲコード１００を表示する場合に、液晶表示部１１２がノーマリホワイト型では、白と赤、緑、青の３色うち１種類を使用してＱＲコード１００を表示することで、省電力化を図る。また、液晶表示部１１２がノーマリブラック型では、黒と赤、緑、青の３色うち１種類を使用してＱＲコード１００を表示することで、省電力化を図るようにしている。
【００３７】
また、ＱＲコード１００の表示時に、鏡筒１０２が繰出し位置にあった場合は、収納位置に移動させて光学駆動部２０７への電源供給を停止するようにしている。よって、省電力状態で鏡筒１０２が繰り出して作動している諸々の状態の情報を検知し続ける必要が無く、この点において省電力の効果がある。さらに、ＱＲコード１００の携帯電話２１０での撮影（読み取り）が容易となる他、携帯電話２０１の操作中に誤ってデジタルカメラ１００を落下させたとしても、鏡筒１０２を破損しにくくすることができる。
【００３８】
また、鏡筒１０２を収納位置に移動させる場合には、その繰出し位置を記憶した後に、収納位置に移動させてリセット状態にするようにしている。つまり、従来のように省電力状態にするために機器への電源を断つのではなく、不要な手段へのみ電源供給を断つようにしている（記録媒体２１０への電源は供給し続ける）ので、省電力モードに入る前の位置まで鏡筒１０２を確実に復帰させることができる。
【実施例２】
【００３９】
次に、本発明の実施例２について説明する。なお、デジタルカメラ１００の構成は実施例１と同様であるので、その詳細は省略する。
【００４０】
本実施例２のデジタルカメラ１００は、操作中にエラーが発生した場合には、そのエラー項目に合わせたＱＲコード１００を表示可能である。ユーザーはそのＱＲコード１００を携帯電話２０１で撮影し（読み取り）、エラーを解決するための情報を記載されているホームページのＵＲＬを取得し、インターネット５０１に接続する。ユーザーはそのホームページを携帯電話２０１の液晶表示部２０２に表示しながら、エラーの除去を行うことができるものである。
【００４１】
図７は、本発明の実施例２に係るデジタルカメラ１００の電源制御時の動作を示すフローチャートである。
【００４２】
まず、システム制御部２０８は、発生したエラー内容の確認を行う（＃２０１）。そして、エラーに対応したＱＲコード１００を液晶表示部１１２に表示させる（＃２０２）。
【００４３】
ここで、システム制御部２０８は、撮像部２２３、液晶表示部１１２（表示部２２２）、光学系駆動部２０７などの手段と通信をしており、異常な信号を検知した場合にエラーの発生を検知する。例えば、鏡筒１０２内部においては不図示の鏡筒フレキシブル配線板上に実装されたフォトインタラプタが配置され、鏡筒１０２を駆動させるモータの回転数をカウントすることができるようになっている。この際、信号に応答がない場合や規定値以上の信号を検知した場合には、システム制御部２０８は、鏡筒１０２の異常を示すエラーコードを液晶表示部１１２にＱＲコード１００として表示させる。
【００４４】
ＱＲコード１００（エラーコード）表示中は、デジタルカメラ１００側の操作を行う必要がない。そのため、撮像部２２３への電源供給を行わないように、システム制御部２０８は電源制御部２１１へ電源をＯＦＦするコントロール信号を送り、撮像部２２３への電源をオフにする（＃２０３）。
【００４５】
これにより、ＱＲコード１００の表示中には、使用していない撮像部５２３への電源の供給が無くなり、つまり省電力モードとなり、消費電力を少なくすることができる。
【００４６】
次に、システム制御部２０８は液晶表示部１１２の設定を変えられるか否か、つまり明るさを変えられるか否かを確認する（＃２０４）。エラーによる液晶表示部１１２の不具合がない場合には、撮像機能使用時（通常撮影時及び撮影画像再生時）よりもバックライト３０３に供給する電流を小さくして（電源供給量を小さくして）（＃２０５）、消費電力を抑える。そして、次に鏡筒１０２の状態が繰出し位置にあるか収納位置にあるかを確認する（＃２０６）。鏡筒１０２が繰出し位置にある場合には、システム制御部２０８は鏡筒１０２を光学系駆動部２０７を介して収納位置に移動させる（＃２０７）。ここまでの設定で、ユーザーはエラーの対策を行う。エラーの除去が終了した場合には電源スイッチ１０４が押されるので、電源スイッチ１０４が押されると（＃２０８）、システム制御部２０８はデジタルカメラ１０１の電源を断つ。（＃２０９）。
【００４７】
以上の実施例２においても、エラーコードであるＱＲコード（２次元コード情報）１００を液晶表示部１１２に表示している際は、電源供給が不要となる、少なくとも撮像部２２３への電源の供給を停止する（省電力モードにする）ようにしている。よって、デジタルカメラ１０１の消費電力を少なくすることができる。
【００４８】
また、エラーコードであるＱＲコード１００の表示時に、デジタルカメラ１０１の撮像情報の表示（通常撮影時や撮影画像再生時の表示）時よりもバックライト３０３の明るさを暗くできるか否かを判定する。その結果、暗くできる場合は、バックライト３０３に供給する電流を小さくして液晶表示部１１２での消費電力を少なくするようにしている。よって、さらなる省電力効果を達成することができる。
【００４９】
本実施例では、デジタルカメラ１０１に適用した例を示しているが、ビデオカメラ、携帯電話、プリンタ、スキャナ等の２次元コード情報の表示手段を有する電子機器でもよい。
【符号の説明】
【００５０】
１００    ＱＲコード（２次元コード情報）
１０１    デジタルカメラ（電子機器）
１０２    鏡筒
１１２    液晶表示部（表示手段）
２０１    レンズ
２０７    光学駆動部（駆動手段）
２０８    システム制御部（電源制御手段）
２１１    電源制御部（電源制御手段）
２２３    撮像部（撮像手段）
４０１    携帯電話
【図１】
2011160305.tif 000003
【図２】
2011160305.tif 000004
【図３】
2011160305.tif 000005
【図４】
2011160305.tif 000006
【図５】
2011160305.tif 000007
【図６】
2011160305.tif 000008
【図７】
2011160305.tif 000009